(57)【要約】【課題】視覚ばかりでなく聴覚によっても開店等の祝いの気持ちを表すことができるため、表現の多様により相互に親しみが湧き、さらにその言葉でコミュニケーションを活性化させ得る音声メッセージ付き花スタンドを提供する。【解決手段】上端部に花または花輪が備えられて開店祝いや周年祝い等の贈答品として送られる花スタンドにおいて、ゼンマイ式発電装置，手動発電装置や太陽光発電装置による起電力やバッテリーまたは電池の電力により起動するものとして、録音された送り主側のお祝いのメッセージがスピーカーから発せられる音声発生装置を装備した。【選択図】    図２
0003135358.tif 000002
【実用新案登録請求の範囲】
【請求項１】
上端部に花または花輪が備えられて開店祝いや周年祝い等の贈答品として送られる花スタンドにおいて、ゼンマイ式発電装置や手動発電装置，太陽光発電装置による起電力やバッテリーまたは電池の電力により起動するものとして、録音された送り主側のお祝いのメッセージがスピーカーから発せられる音声発生装置を装備したことを特徴とする音声メッセージ付き花スタンド。
【請求項２】
電力を駆動させるためのハンドル類または単なる飾りとしてのハンドル類を具備したことを特徴とする請求項１記載の音声メッセージ付き花スタンド。
【請求項３】
ハンドルやレバー、押しボタンスイッチなどにより音声発生装置のスイッチが起動するように、そのための当該ハンドルやレバー、押しボタンスイッチなどを具備したことを特徴とする請求項１記載の音声メッセージ付き花スタンド。
【請求項４】
花スタンドの前面に人の気を感知して音声発生装置のスイッチが起動するように、それを感知するセンサーを具備したことを特徴とする請求項１記載の音声メッセージ付き花スタンド。
【考案の詳細な説明】
【技術分野】
【０００１】
この考案は、開店祝いや周年祝いなどに多くの花々を差し添えて店に贈られる花スタンド、詳しくは音声メッセージ付き花スタンドに関する。
【背景技術】
【０００２】
従来の花スタンドは、三脚の上端にフラワーポットの受けを設け、上端部の前面に表示板を取り付けたもので、一般的にレンタル業者において常備されることにより贈答品として反覆使用され、使用においては、鉢植えの花や、生け花、造花、花輪，観葉植物等で賑やかに装飾され、表示板には、例えば、「祝開店」のメッセージの文言に続いて、「○○株式会社」と送り主の名称が下に併記された状態で、業者から店に送られ店頭にまたはその周囲に配置される。
【考案の開示】
【考案が解決しようとする課題】
【０００３】
しかしながら、従来の花スタンドによれば、祝いのメッセージが単に「祝開店」のように短い決まり文句であったので、贈る側も贈られる側も無言で儀礼的となり、心のこもった言葉がないために双方に祝ったり祝いを受けたりしてという印象に乏しかった。
【０００４】
この考案は、上記のような実情に鑑みて、視覚ばかりでなく聴覚によっても開店等の祝いの気持ちを表すことができるため、表現の多様により相互に親しみが湧き、さらにその言葉でコミュニケーションを活性化させ得る音声メッセージ付き花スタンドを提供することを課題とした。
【課題を解決するための手段】
【０００５】
上記の課題を解決するために、この考案は、上端部に花または花輪が備えられて開店祝いや周年祝い等の贈答品として送られる花スタンドにおいて、ゼンマイ式発電装置，手動発電装置や太陽光発電装置による起電力やバッテリーまたは電池の電力により起動するものとして、録音された送り主側のお祝いのメッセージがスピーカーから発せられる音声発生装置を装備したことを特徴とする音声メッセージ付き花スタンドを提供するものである。
【０００６】
音声メッセージ付き花スタンドを上記のように構成したから、音声発生装置に心のこもった言葉を、時には音楽や小鳥のさえずり等ととに、さらには友人の言葉を添えて録音しておくもので、そうすれば、祝いとして届いたときに早速その録音を再生して聴くことにより、参加型の親しみが否応なく湧き出ててくることはもちろん、発展的に印象に残ることになり得る。
【０００７】
音声発生装置を起動させる手動発電装置の操作には、ハンドルやレバー等が用いられ（請求項３）、その電力で直接音声発生装置を起動しても良いが、バッテリーに蓄えた電力で、または、取り替え可能な電池の電力により音声発生装置を起動しても良い。この場合には、そのスイッチを起動させるレバーや押しボタンスイッチを設ける（請求項３）。また、人を感知するセンサーを設けて（請求項４）、音声発生装置のスイッチを起動させても良い。
【０００８】
また、ハンドルやレバーは、手動発電装置や音声発生装置を駆動させるためのものであるのが原則であるが、それらとは無関係に単なる飾りとして設けることもある（請求項２）。そうすると、特に子供たちがハンドルを目標に近づいてくる傾向にあるから、大人であってもそれで遊び心をくすぐると考えるからである。
【考案の効果】
【０００９】
以上説明したように、この考案の音声メッセージ付き花スタンドによれば、視覚ばかりでなく聴覚によっても開店等の祝いの気持ちを表すことができるため、時には専門家の指示に基づきながら表現に多様性を持たせることにより、相互に親しみが湧くものとしてメッセージを編集でき、斬新な表現でコミュニケーションを発展的に活性化させ得るという優れた効果がある。
【考案を実施するための最良の形態】
【００１０】
図１ないし図４は、この考案の一実施の形態を示したもので、その音声メッセージ付き花スタンドは、主にアルミ押出形材で組み立てられたもので、座台１の上に左右一対の支柱３，３を立設し、上端に横桟４を架設して枠組みされ、その枠組みの前側に正面板５を張りつけ、さらに上端部の前面には表示板７を張りつけ、上端部の背後の中央部には、花８が育成されたフラワーポット９の受け１１が矩形に枠組みされ、さらに、高さ中間部には前後にわたって手動発電装置１３とその電力による音声発生装置１５とが設けられている。
【００１１】
手動発電装置１３と音声発生装置１５とを装備するために、背後にその主装置が内装される本体ケース１７を突設し、前面には円板形のハンドル１９が副ケース２１を介して設けられ、そうして、ハンドル１９の軸が本体ケース１７内の主軸２５に接続されている。また、ハンドル１９は、前面に絵模様が表された円板の端に取手２９を設けて構成されているので、来客は子供でなくてもゲーム感覚で回したくなるという思いを起こさせる。
【００１２】
また、ハンドル１９の円板面にＬＥＤランプや光ファイバーの明かりで装飾を施しておけばさらに参加型の親しみが湧くことになる。したがって、手動発電装置１３を装備しないとも（バッテリーや電池の電力が音声発生装置に用いられる場合にも）、単に飾りとしてハンドル１９を装備することもある。
【００１３】
手動発電装置１３については、図３に示すように、支柱３，３の裏側に前記本体ケース１７の一部として基板３１が張りつけられているので、その基板３１を基礎として装備されており、基板３１に対して間を置いて副基板３３を隅支柱３５，３５，・・を介して設けられ、基板３１と副基板３３との間に、ゼンマイバネ３７を巻き取る主軸２５と、主軸２５から巻き戻すための遊軸２７とが併設されている。そして、主軸２５は、巻戻りの回転のみを発電機３９に伝達する一方向接続クラッチ３８に接続され、その接続には接続軸４３が主軸２５の中心に深く嵌入され、これで接続の安定化が図られている。なお、発電機３９は変速機４１付きである。
【００１４】
本体ケース１７内には音声発生装置１５の主要部として録音再生装置４２が内装され、正面板５にはスピーカー４４が露出している。音声発生装置１５には、録音テープ、ＣＤ、ＤＶＤ等の媒体を装填する録音再生装置を有効に使用することができる。なお、別の実施形態として、表示板７を液晶テレビ画面（或いはＬＥＤや光ファイバー等の発光点配列画面）等として録画で送り主側の祝いの喜びを表すようにする場合もある。
【００１５】
上記の音声メッセージ付き花スタンドについて、ハンドル１９を時計回りに回転すると、主軸２５が同時に回転することにより、ゼンマイバネ３７がその弾力に抗して主軸２５に巻き取られるので、ハンドル１９を放すと、主軸２５が反時計回りに回転して、それが一方向接続クラッチ３８を介して発電機３９を駆動し発電がなされ、その電力で録音再生装置４２が起動し、前面のスピーカー４４から音声が発せられる。
【００１６】
さらに、別の実施形態としては、一点鎖線で示すように、音声発生装置１５を起動するために、本体ケース１７にバッテリー５０（または取り替え電池）を内装し、正面板５には前に近づく人を察知するセンサー５２を設けて、その情報で音声発生装置１５のスイッチを起動するようにすることもある。バッテリー５０や電池を用いるときは、ハンドル１９やレバー等のハンドル類は不要ではあるが、飾りとして取り付けて置くことが前記したように望ましい。また、太陽光発電パネル５１の場合もバッテリーを用いるために、同様となる。
【００１７】
（花スタンドの型式的な別の実施形態）
上記の実施形態では、全体的に見ると、座台１の上に支柱３，３が立設されて側面から見ると逆Ｔ字型である。次に、これとは異なる別の型式の代表的な例を挙げる。
【００１８】
図５および図６に示す音声メッセージ付き花スタンドは、卓上型として実施したもので、座台１の前端に左右一対の支柱３，３を立設し、その両支柱３，３に正面板５を張りつけることにより、座台１と支柱３，３とでＬ字型を呈している。また、両支柱３，３の上端にフラワーポット９の受け１１が枠組され、高さ中間部には手動発電装置１３の主要部や音声発生装置１５の主要部が内装される本体ケース１７が支持され、正面板５からハンドル１９が突設される。また、正面板５は、花瓶形を形象して形成され、その一部に音声発生装置１５のスピーカー４４が露出している。
【００１９】
図７および図８に示す音声メッセージ付き花スタンドは、４本のパイプ５４，５４，５４，５４を上中下の３個の十文字片５５，５５，５５により中心から等位に連結して本支柱５７が構成され、各パイプの下端部を開き股状に屈折することにより座台１を形成し、上端部を開きつぼみ状に屈折することによりフラワーポット９の受け１１が形成される。そして、高さ中間部よりやゝ上に本体ケース１７と副ケース２１とハンドル１９等が設けられる。
【００２０】
図９および図１０に示す音声メッセージ付き花スタンドは、この場合も４本のパイプ５４，５４，５４，５４を上中下のリング５９，５９，５９により連結することにより本支柱５７を構成し、本支柱５７の下端部を股開きに開くとともに下端に座リング６１を固着することにより座台１が形成され、上端にはリング状のフラワーポット９の受け１１が設けられる。また、本支柱５７の上端部には、横長の表示板７を取りつけ、中間部よりもやゝ上において本体ケース１７、副ケース２１、ハンドル１９が設けてある。
【図面の簡単な説明】
【００２１】
【図１】この考案の一実施形態を示す音声メッセージ付き花スタンドの正面図である。
【図２】同音声メッセージ付き花スタンドの側面図である。
【図３】同音声メッセージ付き花スタンドの手動発電装置および音声発生装置を示す上から見た平面断面図である。
【図４】同音声メッセージ付き花スタンドにおいて花を備えるフラワーポットの受けを示す平面図である。
【図５】この考案の他の実施形態を示す音声メッセージ付き花スタンドの正面図である。
【図６】同音声メッセージ付き花スタンドの側面図である。
【図７】この考案のさらに他の実施形態を示す音声メッセージ付き花スタンドの正面図である。
【図８】同音声メッセージ付き花スタンドの側面図である。
【図９】この考案のさらに他の実施形態を示す音声メッセージ付き花スタンドの正面図である。
【図１０】同音声メッセージ付き花スタンドの側面図である。
【符号の説明】
【００２２】
８  花
９  フラワーポット
１３  手動発電装置
１５  音声発生装置
１９  ハンドル
４４  スピーカー
５０  バッテリー
５２  センサー
【図１】
0003135358.tif 000003
【図２】
0003135358.tif 000004
【図３】
0003135358.tif 000005
【図４】
0003135358.tif 000006
【図５】
0003135358.tif 000007
【図６】
0003135358.tif 000008
【図７】
0003135358.tif 000009
【図８】
0003135358.tif 000010
【図９】
0003135358.tif 000011
【図１０】
0003135358.tif 000012